(57)【要約】【課題】メッセージ障害により生じるモビリティパラメータ変更の不一致を回避し、これにより、モビリティパラメータ変更のロバスト性及びネットワーク性能を向上させる。【解決手段】ターゲット基地局がソース基地局からのモビリティパラメータの変更要求メッセージを受信した後、モビリティパラメータの判定及び最適化処理を行う。処理が成功した場合、ターゲット基地局は、モビリティパラメータの変更確認メッセージをソース基地局に送信する。処理が失敗した場合、ターゲット基地局は、モビリティパラメータの変更失敗メッセージをソース基地局に送信する。本発明によれば、ソース基地局は、モビリティ切り替えパラメータのネゴシエーションがどのソースセルに対して行われたかを正確に判断でき、ネゴシエーションメッセージがどのターゲットセルからのネゴシエーションメッセージであるかを正確に区別できる。【選択図】図１
2013516123.tif 000002
【特許請求の範囲】
【請求項１】
ターゲット基地局が、ソース基地局からのモビリティパラメータの変更要求メッセージを受信した後、前記モビリティパラメータの変更要求メッセージに応じて、モビリティパラメータの判定及び最適化処理を行い、
処理が成功した場合、ターゲット基地局が、メッセージタイプ及びソースセルＩＤを少なくとも含むモビリティパラメータの変更確認メッセージをソース基地局に送信し、
処理が失敗した場合、ターゲット基地局が、メッセージタイプ、失敗原因及びソースセルＩＤを少なくとも含むモビリティパラメータの変更失敗メッセージをソース基地局に送信する
基地局間でのモビリティパラメータのネゴシエーション方法。
【請求項２】
前記モビリティパラメータの変更確認メッセージは、ターゲットセルＩＤ、ソース基地局ＩＤ及びターゲット基地局ＩＤの少なくともいずれか１つを更に含む
請求項１に記載の方法。
【請求項３】
前記モビリティパラメータの変更失敗メッセージは、ターゲット基地局下のターゲットセルに変更が許可されるモビリティパラメータの数値範囲、ターゲットセルＩＤ、ソース基地局ＩＤ及びターゲット基地局ＩＤの少なくともいずれか１つを更に含む
請求項１に記載の方法。
【請求項４】
前記セルＩＤはセルグローバル識別子（ＥＣＧＩ）である
請求項１〜３のいずれか１項に記載の方法。
【請求項５】
前記基地局ＩＤは基地局グローバル識別子（ｅＮＢ  Ｇｌｏｂａｌ  ＩＤ）である
請求項２又は３に記載の方法。
【請求項６】
ソース基地局と、ターゲット基地局とを含む、基地局間でのモビリティパラメータのネゴシエーションシステムであって、
前記ターゲット基地局は、ソース基地局からのモビリティパラメータの変更要求メッセージを受信した後、前記モビリティパラメータの変更要求メッセージに応じて、モビリティパラメータの判定及び最適化処理を行い、
処理が成功した場合、前記ターゲット基地局は、メッセージタイプ及びソースセルＩＤを少なくとも含むモビリティパラメータの変更確認メッセージをソース基地局に送信し、
処理が失敗した場合、前記ターゲット基地局は、メッセージタイプ、失敗原因及びソースセルＩＤを少なくとも含むモビリティパラメータの変更失敗メッセージをソース基地局に送信する
基地局間でのモビリティパラメータのネゴシエーションシステム。
【請求項７】
前記ターゲット基地局がソース基地局に送信したモビリティパラメータの変更確認メッセージは、ターゲットセルＩＤ、ソース基地局ＩＤ及びターゲット基地局ＩＤの少なくともいずれか１つを更に含む
請求項６に記載のシステム。
【請求項８】
前記ターゲット基地局がソース基地局に送信したモビリティパラメータの変更失敗メッセージは、ターゲット基地局下のターゲットセルに変更が許可されるモビリティパラメータの数値範囲、ターゲットセルＩＤ、ソース基地局ＩＤ及びターゲット基地局ＩＤの少なくともいずれか１つを更に含む
請求項６に記載のシステム。
【請求項９】
前記ターゲット基地局がソース基地局に送信したモビリティパラメータの変更確認メッセージ又はモビリティパラメータの変更失敗メッセージにおけるセルＩＤは、ＥＣＧＩである
請求項６〜８のいずれか１項に記載のシステム。
【請求項１０】
前記ターゲット基地局がソース基地局に送信したモビリティパラメータの変更確認メッセージ又はモビリティパラメータの変更失敗メッセージにおける基地局ＩＤは、ｅＮＢ  Ｇｌｏｂａｌ  ＩＤである
請求項７又は８に記載のシステム。
【発明の詳細な説明】
【技術分野】
【０００１】
本発明は、無線通信技術の分野に関し、特に、基地局間でのモビリティパラメータのネゴシエーション方法及びシステムに関する。
【背景技術】
【０００２】
第三世代モバイルコミュニケーションのロング・ターム・エボリューション（Ｌｏｎｇ  Ｔｅｒｍ  Ｅｖｏｌｕｔｉｏｎ：ＬＴＥ）ネットワークは、発展型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：Ｅ−ＵＴＲＡＮ）と、発展型パケットコア（Ｅｖｏｌｖｅｄ  Ｐａｃｋｅｔ  Ｃｏｒｅ：ＥＰＣ）ネットワークとによって構成される。Ｅ−ＵＴＲＡＮは、複数の発展型基地局（Ｅｖｏｌｖｅｄ  ＮｏｄｅＢ：ｅＮＢ）の集合を含む。ＥＰＣは、モビリティ管理エンティティ（Ｍｏｂｉｌｉｔｙ  Ｍａｎａｇｅｍｅｎｔ  Ｅｎｔｉｔｙ：ＭＭＥ）と、サービングゲートウェイ（Ｓｅｒｖｉｎｇ  Ｇａｔｅｗａｙ：Ｓ−ＧＷ）などを含み、フラットネットワークアーキテクチャを構築する。複数のｅＮＢと、ＭＭＥ／Ｓ−ＧＷとは、Ｓ１インターフェースを介して接続される。複数のｅＮＢ同士は、Ｘ２インターフェースを介して接続される。Ｓ１インターフェース及びＸ２インターフェースは、論理インターフェースである。ＭＭＥ／Ｓ−ＧＷは、１以上のｅＮＢを管理することが可能である。ｅＮＢは、複数のＭＭＥ／Ｓ−ＧＷにより制御されることが可能である。加えて、ｅＮＢは、１以上のセルを管理することが可能である。発展型ＬＴＥ（ＬＴＥ  Ａｄｖａｎｃｅｄ：ＬＴＥ−Ａ）システムは、ＬＴＥシステムの発展型である。ＬＴＥ−Ａのネットワークアーキテクチャは、ＬＴＥと同じである。ＬＴＥ−ＡとＬＴＥとの異なる点は、以下のとおりである。すなわち、ＬＴＥ−Ａには、マルチポイント（マルチセル）協調（ｃｏｏｒｄｉｎａｔｅｄ  ｍｕｌｔｉ−ｐｏｉｎｔ）、周波数スペクトルアグリゲーション（ｓｐｅｃｔｒｕｍ  ａｇｇｒｅｇａｔｉｏｎ）及びリレー（Ｒｅｌａｙ）のような新技術が採用される。これにより、ＬＴＥ−Ａのシステム性能が向上する。
【０００３】
ネットワーク構築コスト及び運営コストを抑えるために、自動設定（ｓｅｌｆ−ｃｏｎｆｉｇｕｒａｔｉｏｎ）及び自動最適化（ｓｅｌｆ−ｏｐｔｉｍｉｚａｔｉｏｎ）と、手動操作の減少とが、次世代モバイルネットワークのトレンドである。従って、自己組織型ネットワーク（Ｓｅｌｆ−Ｏｒｇａｎｉｚｅｄ  Ｎｅｔｗｏｒｋ：ＳＯＮ）の概念が提案されている。ＳＯＮは、モビリティ負荷分散最適化（Ｍｏｂｉｌｉｔｙ  Ｌｏａｄ  ｂａｌａｎｃｉｎｇ  ｏｐｔｉｍｉｚａｔｉｏｎ：ＭＬＢ）と、モビリティロバスト性最適化（Ｍｏｂｉｌｉｔｙ  ｒｏｂｕｓｔｎｅｓｓ  ｏｐｔｉｍｉｚａｔｉｏｎ：ＭＲＯ）などを含む。
【０００４】
ＭＬＢ及びＭＲＯなどの最適化動作により、セルのモビリティパラメータが変更されるおそれがある。このため、複数のｅＮＢ間の２つの関連する隣接のセルの間のモビリティパラメータの変更を調和させるために、ネゴシエーションメカニズムが必要となる。現在のモビリティパラメータ変更のネゴシエーションプロセスは、要求メッセージ、確認メッセージ、失敗メッセージから構成される。モビリティパラメータをネゴシエーションする必要がある場合、ソースセルが位置するソース基地局は、ターゲットセルが位置するターゲット基地局に対して、モビリティパラメータの変更要求メッセージを送信する。モビリティパラメータの変更要求メッセージは、ソースセルのセルＩＤ、ターゲットセルのセルＩＤ、ソース基地局自身のモビリティパラメータ情報、ターゲット基地局により変更されるモビリティパラメータ情報、モビリティパラメータのネゴシエーション開始原因を含む。ここで、セルＩＤは、セルのグローバル識別子であって、セルを一意に確定する。ターゲット基地局がパラメータ変更に成功した場合、モビリティパラメータの変更確認メッセージを返す。失敗した場合、モビリティパラメータの変更失敗メッセージを返す。モビリティパラメータの変更失敗メッセージは、失敗原因と、ターゲット基地局に変更が許可されるモビリティパラメータの数値範囲とを含む。
【０００５】
しかし、現在のネゴシエーションプロセスにおいて、一対のネゴシエーションセルの情報（ソースセルのセルＩＤと、ターゲットセルのセルＩＤとを含む）は、要求メッセージにしか含まれず、確認メッセージ及び失敗メッセージには含まれない。従って、以下の問題が発生する。すなわち、現在のソース基地局下の複数のサービスセルが、他の複数の基地局の複数のセルに対して、モビリティパラメータのネゴシエーションを開始するとする。このとき、ソース基地局が、複数のターゲット基地局／ターゲットセルから、確認／失敗メッセージを受信するとする。この場合、ソース基地局は、モビリティ切り替えパラメータのネゴシエーションが、どのソースセルに対して行われたかを判断できないおそれがある。また、ソース基地局の複数のサービスセルが、複数のターゲットセルに対して、モビリティパラメータのネゴシエーションプロセスを並行して開始するとする。このとき、ソース基地局は、どのターゲットセルから、転送層アドレスを介してネゴシエーションメッセージが来たのかを認識できないおそれがある。さらに、ソース基地局は、どのターゲットセルから、確認／失敗メッセージが来たのかを認識できないおそれがある。このような問題がある結果、メッセージ障害が発生し、最終的に、一対のセル間のモビリティパラメータの変更が不一致となる。その結果、セルモビリティパラメータ変更にエラーが発生し、ネットワーク性能が低下する。
【発明の概要】
【発明が解決しようとする課題】
【０００６】
以上に鑑み、本発明の主目的は、メッセージ障害により生じるモビリティパラメータ変更の不一致を回避することが可能で、これにより、モビリティパラメータ変更のロバスト性及びネットワーク性能を向上させることが可能な、基地局間でのモビリティパラメータのネゴシエーション方法及びシステムを提供することにある。
【課題を解決するための手段】
【０００７】
前記目的を実現するために、以下の手法により本技術が実現される。
【０００８】
本発明は、基地局間でのモビリティパラメータのネゴシエーション方法であって、当該方法は、ターゲット基地局が、ソース基地局からのモビリティパラメータの変更要求メッセージを受信した後、前記モビリティパラメータの変更要求メッセージに応じて、モビリティパラメータの判定及び最適化処理を行い、処理が成功した場合、ターゲット基地局が、メッセージタイプ及びソースセルＩＤを少なくとも含むモビリティパラメータの変更確認メッセージをソース基地局に送信し、処理が失敗した場合、ターゲット基地局が、メッセージタイプ、失敗原因及びソースセルＩＤを少なくとも含むモビリティパラメータの変更失敗メッセージをソース基地局に送信する。
【０００９】
前記モビリティパラメータの変更確認メッセージは、ターゲットセルＩＤ、ソース基地局ＩＤ及びターゲット基地局ＩＤの少なくともいずれか１つを更に含む。
【００１０】
前記モビリティパラメータの変更失敗メッセージは、ターゲット基地局下のターゲットセルに変更が許可されるモビリティパラメータの数値範囲、ターゲットセルＩＤ、ソース基地局ＩＤ及びターゲット基地局ＩＤの少なくともいずれか１つを更に含む。
【００１１】
前記セルＩＤはセルグローバル識別子（ＥＣＧＩ）である。
【００１２】
前記基地局ＩＤは基地局グローバル識別子（ｅＮＢ  Ｇｌｏｂａｌ  ＩＤ）である。
【００１３】
ソース基地局と、ターゲット基地局とを含む、基地局間でのモビリティパラメータのネゴシエーションシステムであって、前記ターゲット基地局は、ソース基地局からのモビリティパラメータの変更要求メッセージを受信した後、前記モビリティパラメータの変更要求メッセージに応じて、モビリティパラメータの判定及び最適化処理を行い、処理が成功した場合、前記ターゲット基地局は、メッセージタイプ及びソースセルＩＤを少なくとも含むモビリティパラメータの変更確認メッセージをソース基地局に送信し、処理が失敗した場合、前記ターゲット基地局は、メッセージタイプ、失敗原因及びソースセルＩＤを少なくとも含むモビリティパラメータの変更失敗メッセージをソース基地局に送信する。
【００１４】
前記ターゲット基地局がソース基地局に送信したモビリティパラメータの変更確認メッセージは、ターゲットセルＩＤ、ソース基地局ＩＤ及びターゲット基地局ＩＤの少なくともいずれか１つを更に含む。
【００１５】
前記ターゲット基地局がソース基地局に送信したモビリティパラメータの変更失敗メッセージは、ターゲット基地局下のターゲットセルに変更が許可されるモビリティパラメータの数値範囲、ターゲットセルＩＤ、ソース基地局ＩＤ及びターゲット基地局ＩＤの少なくともいずれか１つを更に含む。
【００１６】
前記ターゲット基地局がソース基地局に送信したモビリティパラメータの変更確認メッセージ又はモビリティパラメータの変更失敗メッセージにおけるセルＩＤは、ＥＣＧＩである。
【００１７】
前記ターゲット基地局がソース基地局に送信したモビリティパラメータの変更確認メッセージ又はモビリティパラメータの変更失敗メッセージにおける基地局ＩＤは、ｅＮＢ  Ｇｌｏｂａｌ  ＩＤである。
【発明の効果】
【００１８】
本発明に係る基地局間でのモビリティパラメータのネゴシエーション方法及びシステムは、ソース基地局が、モビリティパラメータの変更確認及び／又は失敗メッセージに、ソースセルＩＤ、又はソースセルＩＤ及びターゲットセルＩＤを追加する。これにより、モビリティ切り替えパラメータのネゴシエーションがどのソースセルに対して行われるか正確に判断できる。また、ネゴシエーションメッセージがどのターゲットセルからのネゴシエーションメッセージであるかを正確に区別できる。これによって、メッセージ障害によるモビリティパラメータ変更の不一致を回避でき、モビリティパラメータ変更のロバスト性及びネットワーク性能を向上させることができる。
【図面の簡単な説明】
【００１９】
【図１】本発明に係る基地局間でのモビリティパラメータのネゴシエーション方法のフローチャートである。
【図２】本発明に係るモビリティパラメータの変更確認メッセージの構造を示す図である。
【図３】本発明に係るモビリティパラメータの変更失敗メッセージの構造を示す図である。
【図４】本発明の実施形態１に係るモビリティパラメータ変更のネゴシエーションのシーケンス図である。
【図５】本発明の実施形態２に係るモビリティパラメータ変更のネゴシエーションのシーケンス図である。
【図６】本発明の実施形態３に係るモビリティパラメータ変更のネゴシエーションのシーケンス図である。
【発明を実施するための形態】
【００２０】
本発明の背景技術によれば、本発明の目的は、複数のネゴシエーションプロセスの複数のメッセージが互いに影響しないことを保証しつつ、複数のｅＮＢ間の２つの隣接するセルのモビリティパラメータをネゴシエーションすることが可能な、簡単で効果的な方法を提供することにある。これにより、ソース基地局のソースセルがメッセージ障害を回避し、モビリティパラメータの変更確認／失敗メッセージを正確に判断することができる。これにより、現在のモビリティパラメータ変更のネゴシエーションプロセスのロバスト性を向上させることができる。そして、処理中のメッセージ障害により生じる、隣接する複数のセル間のモビリティパラメータのエラー変更を避けることができる。
【００２１】
上記の目的を達成するために、本発明は、ＬＴＥ／ＬＴＥ−Ａシステムにおいて、隣接する複数のセル間でモビリティパラメータのネゴシエーション最適化プロセスを行う方法及びシステムを提供する。当該方法及びシステムでは、ソース基地局が、モビリティパラメータの変更確認及び／又は失敗メッセージに、ソースセルＩＤ、又はソースセルＩＤ及びターゲットセルＩＤを追加する。これにより、モビリティ切り替えパラメータのネゴシエーションが、どのソースセルに対して行われるか正確に判断できる。また、ネゴシエーションメッセージが、どのターゲットセルからのネゴシエーションメッセージであるかを正確に区別できる。これによって、メッセージ障害によるモビリティパラメータ変更の不一致を回避でき、モビリティパラメータ変更のロバスト性及びネットワーク性能を向上させることができる。
【００２２】
以下、図面を参照しながら、実施形態を更に詳しく説明する。
【００２３】
図１は、本発明に係る基地局間でのモビリティパラメータのネゴシエーション方法のフローチャートである。図１に示すように、本発明に係る基地局間でのモビリティパラメータのネゴシエーション方法は、以下のステップを含む。
【００２４】
ステップ１０１：ターゲット基地局は、ソース基地局から、モビリティパラメータの変更要求メッセージを受信する。
【００２５】
ステップ１０２：ターゲット基地局は、前記モビリティパラメータの変更要求メッセージに応じて、モビリティパラメータの判定及び最適化処理を行う。
【００２６】
ステップ１０３：ターゲット基地局は、処理が成功したかどうかを判断する。成功した場合、ステップ１０４を実行し、成功しない場合、ステップ１０５を実行する。
【００２７】
ステップ１０４：ターゲット基地局は、モビリティパラメータの変更確認メッセージを、ソース基地局に送信する。モビリティパラメータの変更確認メッセージは、メッセージタイプと、ソースセルＩＤとを少なくとも含む。そして、プロセスが終了する。
【００２８】
図２は、本発明に係るモビリティパラメータの変更確認メッセージの構造を示す図である。図２に示すように、本発明において、モビリティパラメータの変更確認メッセージは、少なくとも、メッセージタイプと、ソースセルＩＤとを含む。モビリティパラメータの変更確認メッセージは、ターゲットセルＩＤ、ソース基地局ＩＤ及びターゲット基地局ＩＤの少なくともいずれか１つを更に含んでもよい。
【００２９】
ステップ１０５：ターゲット基地局は、モビリティパラメータの変更失敗メッセージを、ソース基地局に送信する。モビリティパラメータの変更失敗メッセージは、メッセージタイプ、失敗原因及びソースセルＩＤを少なくとも含む。そして、プロセスが終了する。
【００３０】
図３は、本発明に係るモビリティパラメータの変更失敗メッセージの構造を示す図である。図３に示すように、本発明において、モビリティパラメータの変更失敗メッセージは、メッセージタイプ、失敗原因、ソースセルＩＤを少なくとも含む。モビリティパラメータの変更失敗メッセージは、ターゲット基地局のターゲットセルに変更が許可されるモビリティパラメータの数値範囲、ターゲットセルＩＤ、ソース基地局ＩＤ及びターゲット基地局ＩＤの少なくともいずれか１つを更に含んでもよい。
【００３１】
本発明において、セルＩＤは、例えば、セルグローバル識別子（ＥＣＧＩ）である。セルグローバル識別子（ＥＣＧＩ）はセルを一意に確定することに用いられる。基地局ＩＤは、基地局のグローバル識別子であって、例えば、基地局グローバル識別子（ｅＮＢ  Ｇｌｏｂａｌ  ＩＤ）である。基地局グローバル識別子（ｅＮＢ  Ｇｌｏｂａｌ  ＩＤ）は、基地局を一意に確定することに用いられる。
【００３２】
本発明は、基地局間でのモビリティパラメータのネゴシエーションシステムを更に提供する。当該システムは、ソース基地局とターゲット基地局を含む。
【００３３】
前記ターゲット基地局は、ソース基地局からモビリティパラメータの変更要求メッセージを受信する。その後、ターゲット基地局は、前記モビリティパラメータの変更要求メッセージに応じて、モビリティパラメータの判定及び最適化処理を行う。処理が成功した場合、ターゲット基地局は、モビリティパラメータの変更確認メッセージを、ソース基地局に送信する。モビリティパラメータの変更確認メッセージは、メッセージタイプと、ソースセルＩＤとを少なくとも含む。処理が失敗した場合、ターゲット基地局は、モビリティパラメータの変更失敗メッセージを、ソース基地局に送信する。モビリティパラメータの変更失敗メッセージは、メッセージタイプ、失敗原因及びソースセルＩＤを少なくとも含む。
【００３４】
前記ターゲット基地局がソース基地局に送信したモビリティパラメータの変更確認メッセージは、ターゲットセルＩＤ、ソース基地局ＩＤ、ターゲット基地局ＩＤの少なくともいずれか１つを更に含む。
【００３５】
前記ターゲット基地局がソース基地局に送信したモビリティパラメータの変更失敗メッセージは、ターゲット基地局下のターゲットセルに変更が許可されるモビリティパラメータの数値範囲、ターゲットセルＩＤ、ソース基地局ＩＤ及びターゲット基地局ＩＤの少なくともいずれか１つを更に含む。
【００３６】
前記ターゲット基地局がソース基地局に送信したモビリティパラメータの変更確認メッセージ又はモビリティパラメータの変更失敗メッセージにおけるセルＩＤは、セルグローバル識別子（ＥＣＧＩ）である。
【００３７】
前記ターゲット基地局がソース基地局に送信したモビリティパラメータの変更確認メッセージ又はモビリティパラメータの変更失敗メッセージにおける基地局ＩＤは、基地局グローバル識別子（ｅＮＢ  Ｇｌｏｂａｌ  ＩＤ）である。
【００３８】
実施形態１
図４は、本発明の実施形態１に係るモビリティパラメータ変更のネゴシエーションのシーケンス図である。図４に示すように、本発明の実施形態１に係るモビリティパラメータ変更のネゴシエーションは以下のステップを含む。
【００３９】
ステップ４０１：ソース基地局は、ターゲット基地局に、モビリティパラメータの変更要求メッセージを送信する。
【００４０】
モビリティパラメータの変更要求メッセージは、必要なときに送信することができる。必要なときとは、例えば、負荷分散によるモビリティパラメータの最適化をする場合や、モビリティの最適化中にモビリティパラメータを調整する必要がある場合などである。一般的に、当該モビリティパラメータの変更要求メッセージは、ソースセルのセルＩＤ、ターゲットセルのセルＩＤ、ソース基地局のモビリティパラメータ情報、ターゲット基地局によって変更されるモビリティパラメータ情報、モビリティパラメータのネゴシエーションの開始原因を含む。
【００４１】
ステップ４０２：ターゲット基地局は、モビリティパラメータの変更要求メッセージを受信する。その後、ターゲット基地局は、ローカルでの判定処理を行う。処理が成功した場合、ステップ４０３に進み、処理が失敗した場合、ステップ４０４に進む。
【００４２】
ステップ４０３：ターゲットセルは、要求メッセージ中に提案されたモビリティパラメータに応じてローカルパラメータを変更する。そして、ターゲット基地局は、ソース基地局に、モビリティパラメータの変更確認メッセージを送信する。
【００４３】
本実施形態において、モビリティパラメータの変更確認メッセージは、メッセージタイプ、ソースセルＩＤ、ターゲットセルＩＤを含む。モビリティパラメータの変更確認メッセージは、ソース基地局ＩＤ及び／又はターゲット基地局ＩＤを更に含んでもよい。
【００４４】
ステップ４０４：ターゲットセルは、要求メッセージ中に提案されたモビリティパラメータに応じて、ローカルパラメータを変更するのに失敗する。そして、ターゲット基地局は、ソース基地局に、モビリティパラメータの変更失敗メッセージを送信する。
【００４５】
本実施形態において、モビリティパラメータの変更失敗メッセージは、メッセージタイプ、失敗原因、ターゲット基地局下のターゲットセルに変更が許可されるモビリティパラメータの数値範囲、ソースセルＩＤ、ターゲットセルＩＤを含む。モビリティパラメータの変更失敗メッセージは、ソース基地局ＩＤ及び／又はターゲット基地局ＩＤを更に含んでもよい。
【００４６】
実施形態２
本実施形態において、ソースセルは、ターゲットセル１及びターゲットセル２と、モビリティ切り替えパラメータをネゴシエーションする。ソースセルは、ターゲットセル１とのネゴシエーションに成功し、ターゲットセル２とのネゴシエーションに失敗する。図５は、本発明の実施形態２に係るモビリティパラメータ変更のネゴシエーションのシーケンス図である。図５に示すように、本発明の実施形態２に係るモビリティパラメータ変更のネゴシエーションは、以下のステップを含む。
【００４７】
ステップ５０１：ソースセルは、ターゲットセル１とモビリティ切り替えパラメータをネゴシエーションする。ソース基地局は、ターゲット基地局に、モビリティパラメータの変更要求メッセージを送信する。
【００４８】
ここで、モビリティパラメータの変更要求メッセージは、ソースセルのセルＩＤ、ターゲットセル１のセルＩＤ、ソース基地局自身のモビリティパラメータ情報、ターゲット基地局によって変更されるモビリティパラメータ情報、モビリティパラメータのネゴシエーションの開始原因を含む。
【００４９】
ステップ５０２：ターゲット基地局は、ローカル情報の判断を行う。ターゲット基地局は、ターゲットセル１のモビリティパラメータが、現在の負荷により生じる切り替え問題を解決することができず、そして、ターゲットセル２とモビリティパラメータをネゴシエーションする必要があると判定する。この場合、ソースセルは、ターゲットセル２と、モビリティ切り替えパラメータをネゴシエーションする。ソースセルは、ターゲット基地局に、モビリティパラメータの変更要求メッセージを送信する。
【００５０】
ここで、モビリティパラメータの変更要求メッセージは、ソースセルのセルＩＤ、ターゲットセル２のセルＩＤ、ソース基地局自身のモビリティパラメータ情報、ターゲット基地局によって変更されるモビリティパラメータ情報、モビリティパラメータのネゴシエーションの開始原因を含む。
【００５１】
ステップ５０３：ターゲット基地局は、ステップ５０２のモビリティパラメータの変更要求メッセージを受信する。その後、ターゲット基地局は、ローカルでの判定及び処理を行う。ターゲットセル２に対する処理が失敗した場合、ターゲット基地局は、ソース基地局に、モビリティパラメータの変更失敗メッセージを送信する。
【００５２】
本実施形態において、モビリティパラメータの変更失敗メッセージは、メッセージタイプ、失敗原因、ターゲット基地局下のターゲットセルに変更が許可されるモビリティパラメータの数値範囲、ソースセルＩＤ、ターゲットセル２のセルＩＤを含む。モビリティパラメータの変更失敗メッセージは、ソース基地局ＩＤ及び／又はターゲット基地局ＩＤを更に含んでもよい。
【００５３】
ソース基地局は、当該モビリティパラメータの変更失敗メッセージを受信する。その後、ソース基地局は、ターゲットセルＩＤに応じて、現在の失敗メッセージが、ソースセルとターゲットセル２とが行ったモビリティパラメータのネゴシエーションプロセスに属するものであると識別する。したがって、ソース基地局は、ソースセルとターゲットセル１とが行ったモビリティパラメータのネゴシエーションが失敗したと認識することはない。
【００５４】
ステップ５０４：ターゲット基地局は、ステップ５０１のモビリティパラメータの変更要求メッセージに応じて、ローカルでの判定及び処理を行う。ターゲットセル１に対する処理が成功した場合、ターゲットセル１は、要求メッセージ中で提案されたモビリティパラメータに応じて、ローカルパラメータを変更する。そして、ターゲット基地局は、ソース基地局に、モビリティパラメータの変更確認メッセージを送信する。
【００５５】
本実施形態において、モビリティパラメータの変更確認メッセージは、メッセージタイプ、ソースセルＩＤ、ターゲットセル１ＩＤを含む。モビリティパラメータの変更確認メッセージは、ソース基地局ＩＤ及び／又はターゲット基地局ＩＤを更に含んでもよい。
【００５６】
ソース基地局は、当該モビリティパラメータの変更確認メッセージを受信する。その後、ソース基地局は、ターゲットセルＩＤに応じて、現在の確認メッセージが、ソースセルとターゲットセル１とが行ったモビリティパラメータのネゴシエーションプロセスに属するものであることを識別する。
【００５７】
なお、ターゲット基地局がソース基地局に送信する、ターゲットセル１に関するモビリティパラメータの変更確認メッセージと、ターゲット基地局がソース基地局に送信する、ターゲットセル２に関するモビリティパラメータの変更失敗メッセージとの送信時間順は、特に制限されない。
【００５８】
実施形態３
本実施形態において、ソースセル１及びソースセル２は、ターゲットセルと、モビリティ切り替えパラメータをネゴシエーションする。更に、ソースセル１とターゲットセルとのネゴシエーションが失敗し、ソースセル２とターゲットセルとのネゴシエーションが成功する。図６は、本発明の実施形態３に係るモビリティパラメータ変更のネゴシエーションのシーケンス図である。図６に示すように、本発明の実施形態３に係るモビリティパラメータ変更のネゴシエーションは以下のステップを含む。
【００５９】
ステップ６０１：ソースセル２は、ターゲットセルとモビリティ切り替えパラメータをネゴシエーションする。この場合、ソース基地局は、ターゲット基地局に、モビリティパラメータの変更要求メッセージを送信する。
【００６０】
ここで、モビリティパラメータの変更要求メッセージは、ソースセル２のセルＩＤ、ターゲットセルのセルＩＤ、ソース基地局自身のモビリティパラメータ情報、ターゲット基地局によって変更されるモビリティパラメータ情報、モビリティパラメータのネゴシエーションの開始原因を含む。
【００６１】
ステップ６０２：ソースセル１は、ターゲットセルとモビリティ切り替えパラメータをネゴシエーションする。この場合、ソース基地局は、ターゲット基地局に、モビリティパラメータの変更要求メッセージを送信する。
【００６２】
ここで、モビリティパラメータの変更要求メッセージは、ソースセル１のセルＩＤ、ターゲットセルのセルＩＤ、ソース基地局自身のモビリティパラメータ情報、ターゲット基地局によって変更されるモビリティパラメータ情報、モビリティパラメータのネゴシエーションの開始原因を含む。
【００６３】
ステップ６０３：ターゲットセルは、ローカル情報の判断を行う。この後、ターゲットセルは、ソースセル２によって開始されたモビリティパラメータのネゴシエーションプロセスが現在行われていると判定する。これによって、その次に受信した、ソースセル１によって開始されたモビリティパラメータのネゴシエーションプロセスを拒否することが可能である。即ち、ターゲット基地局は、ソース基地局に、モビリティパラメータの変更失敗メッセージを送信する。
【００６４】
ここで、モビリティパラメータの変更失敗メッセージは、メッセージタイプ、失敗原因、ターゲット基地局下のターゲットセルに変更が許可されるモビリティパラメータの数値範囲、ソースセル１のセルＩＤ、ターゲットセルＩＤを含む。モビリティパラメータの変更失敗メッセージは、ソース基地局ＩＤ及び／又はターゲット基地局ＩＤを更に含んでもよい。
【００６５】
ソース基地局は、当該モビリティパラメータの変更失敗メッセージを受信する。その後、ソース基地局は、ソースセル１のセルＩＤに応じて、現在の失敗メッセージが、ソースセル１とターゲットセルが行ったモビリティパラメータのネゴシエーションプロセスに属するものであると識別する。したがって、ソース基地局は、ソースセル２とターゲットセルが行ったモビリティパラメータのネゴシエーションが失敗したと認識することはない。これにより、インターリーブの影響を避けることができる。
【００６６】
ステップ６０４：ターゲットセルとソースセル２との間のモビリティパラメータのネゴシエーションプロセスが処理が成功する。この場合、ターゲットセルは、要求メッセージ中で提案されたモビリティパラメータに応じて、ローカルパラメータを変更する。そして、ターゲット基地局は、ソース基地局に、モビリティパラメータの変更確認メッセージを送信する。
【００６７】
ここで、モビリティパラメータの変更確認メッセージは、メッセージタイプ、ソースセル２のセルＩＤ、ターゲットセルＩＤを含む。モビリティパラメータの変更確認メッセージは、ソース基地局ＩＤ及び／又はターゲット基地局ＩＤを更に含んでもよい。
【００６８】
ソース基地局は、当該モビリティパラメータの変更確認メッセージを受信する。その後、ソース基地局は、ソースセル２のセルＩＤに応じて、現在の確認メッセージが、ソースセル２とターゲットセルとが行ったモビリティパラメータのネゴシエーションプロセスに属するものであると識別する。そして、ソース基地局は、モビリティパラメータのネゴシエーションプロセスが成功したと認識する。
【００６９】
以上の説明は、本発明の好適な実施形態に過ぎず、本発明を限定するものではない。
【図１】
2013516123.tif 000003
【図２】
2013516123.tif 000004
【図３】
2013516123.tif 000005
【図４】
2013516123.tif 000006
【図５】
2013516123.tif 000007
【図６】
2013516123.tif 000008
【国際調査報告】
2013516123.tif 000009
2013516123.tif 000010
2013516123.tif 000011
2013516123.tif 000012
2013516123.tif 000013
2013516123.tif 000014
2013516123.tif 000015
2013516123.tif 000016